(57)【特許請求の範囲】
【請求項１】
電気的な接点を有する筆記具と、
前記筆記具が挿入されるキャップと、
前記キャップが移動可能な状態で当該キャップを支持するキャップ支持機構と、
前記キャップとは別の箇所に設けられ、前記筆記具が挿入された当該キャップが移動することにより当該筆記具の前記接点が接触する相手側接点と、
を備え、
前記筆記具が前記キャップに挿入されると、当該筆記具の周方向における当該筆記具の位置決めが行われ、当該筆記具の周方向の回転が規制され、
前記筆記具が挿入された前記キャップの移動に伴い、当該筆記具の周方向への回転が規制された状態で当該筆記具が移動するとともに移動方向における下流側へ移動し、
前記筆記具が有する面のうちの、当該筆記具が前記下流側へ移動する際に当該下流側を向く面に、当該筆記具の前記接点が配置され、
前記相手側接点は、前記筆記具の前記接点が当該相手側接点に接触する際、前記下流側を向く面の対向箇所に位置する筆記具支持システム。
【請求項２】
電気的な接点を有する筆記具と、
前記筆記具が挿入されるキャップと、
前記キャップが移動可能な状態で当該キャップを支持するキャップ支持機構と、
前記キャップとは別の箇所に設けられ、前記筆記具が挿入された当該キャップが移動することにより当該筆記具の前記接点が接触する相手側接点と、
を備え、
前記筆記具が挿入された前記キャップが予め定められた箇所まで移動することで、当該筆記具の前記接点が前記相手側接点に接触し、
前記キャップが前記予め定められた箇所以外の箇所に位置する状態では、前記相手側接点が収容部に収容されている筆記具支持システム。
【請求項３】
前記キャップに対して前記筆記具が挿入され当該キャップによる当該筆記具の位置決めが行われた後に、当該キャップを移動させることで、当該筆記具の前記接点が前記相手側接点に接触するようになる請求項１又は２に記載の筆記具支持システム。
【請求項４】
前記キャップ支持機構を介して前記キャップを支持する台座をさらに備え、
前記台座には、凹部が形成され、
前記筆記具が挿入された前記キャップが移動すると、前記凹部に当該キャップおよび当該筆記具が収容される請求項１乃至３の何れかに記載の筆記具支持システム。
【請求項５】
前記キャップ支持機構を介して前記キャップを支持する台座をさらに備え、
前記筆記具が挿入された前記キャップが移動すると、当該キャップおよび当該筆記具が、前記台座に沿うようになる請求項１乃至４の何れかに記載の筆記具支持システム。
【請求項６】
前記キャップへの前記筆記具の挿入が行われる際、当該キャップは、水平方向に対して傾斜した状態で配置されることを特徴とする請求項１乃至５の何れかに記載の筆記具支持システム。
【請求項７】
前記筆記具が挿入された前記キャップが移動すると、当該筆記具の前記接点と前記相手側接点とが間隙を有して互いに対峙したうえで当該接点と当該相手側接点とがさらに接近し、当該接点と当該相手側接点との接触が行われる請求項１乃至６の何れかに記載の筆記具支持システム。
【請求項８】
電気的な接点を有する筆記具が挿入されるキャップであって、挿入された当該筆記具の周方向への回転を規制するキャップと、
前記キャップが移動可能な状態で当該キャップを支持するキャップ支持機構と、
前記キャップとは別の箇所に設けられ、前記筆記具が挿入された当該キャップが移動することにより移動方向下流側へ移動する当該筆記具の前記接点であって移動する当該筆記具のうちの当該移動方向下流側を向く面に位置する当該接点が接触する相手側接点と、を備え、
前記相手側接点は、周方向への回転が規制された状態の前記筆記具の前記接点が当該相手側接点に接触する際、前記移動方向下流側を向く前記面の対向箇所に位置する筆記具支持装置。
【請求項９】
電気的な接点を有する筆記具が挿入されるキャップと、
前記キャップが移動可能な状態で当該キャップを支持するキャップ支持機構と、
前記キャップとは別の箇所に設けられ、前記筆記具が挿入された当該キャップが移動することにより当該筆記具の前記接点が接触する相手側接点と、
を備え、
前記筆記具が挿入された前記キャップが予め定められた箇所まで移動することで、当該筆記具の前記接点が前記相手側接点に接触し、
前記キャップが前記予め定められた箇所以外の箇所に位置する状態では、前記相手側接点が収容部に収容されている筆記具支持装置。
【発明の詳細な説明】
【技術分野】
【０００１】
本発明は、筆記具支持システムおよび筆記具支持装置に関する。
【背景技術】
【０００２】
特許文献１には、充電のための電気的な接続をペン本体との間で行うキャップを備えたクレードルが開示されている。
特許文献２には、使用者がペンを置く部分をタブレットに形成し、そこに充電用端子が設けられた構成が開示されている。
【先行技術文献】
【特許文献】
【０００３】
【特許文献１】特開２００６−２６０３４５号公報
【特許文献２】特開平５−４０５６８号公報
【発明の概要】
【発明が解決しようとする課題】
【０００４】
筆記具に、電気的な接点が設けられ、この接点およびこの接点に接触する相手側接点を通じ、筆記具への電源供給や、筆記具に対する情報の送受信が行われることがある。ここで、筆記具が挿入されるキャップに相手側接点を設けると、キャップへの筆記具の着脱の度に接点同士が擦れ、接点の損耗が促進される。
本発明の目的は、筆記具が挿入されるキャップに接点が設けられている場合に比べ、筆記具に設けられた接点とこの接点に接触する相手方接点の損耗を低減することにある。
【課題を解決するための手段】
【０００５】
請求項１に記載の発明は、電気的な接点を有する筆記具と、前記筆記具が挿入されるキャップと、前記キャップが移動可能な状態で当該キャップを支持するキャップ支持機構と、前記キャップとは別の箇所に設けられ、前記筆記具が挿入された当該キャップが移動することにより当該筆記具の前記接点が接触する相手側接点と、を備え、前記筆記具が前記キャップに挿入されると、当該筆記具の周方向における当該筆記具の位置決めが行われ、当該筆記具の周方向の回転が規制され、前記筆記具が挿入された前記キャップの移動に伴い、当該筆記具の周方向への回転が規制された状態で当該筆記具が移動するとともに移動方向における下流側へ移動し、前記筆記具が有する面のうちの、当該筆記具が前記下流側へ移動する際に当該下流側を向く面に、当該筆記具の前記接点が配置され、前記相手側接点は、前記筆記具の前記接点が当該相手側接点に接触する際、前記下流側を向く面の対向箇所に位置する筆記具支持システムである。
請求項２に記載の発明は、電気的な接点を有する筆記具と、前記筆記具が挿入されるキャップと、前記キャップが移動可能な状態で当該キャップを支持するキャップ支持機構と、前記キャップとは別の箇所に設けられ、前記筆記具が挿入された当該キャップが移動することにより当該筆記具の前記接点が接触する相手側接点と、を備え、前記筆記具が挿入された前記キャップが予め定められた箇所まで移動することで、当該筆記具の前記接点が前記相手側接点に接触し、前記キャップが前記予め定められた箇所以外の箇所に位置する状態では、前記相手側接点が収容部に収容されている筆記具支持システムである。
請求項３に記載の発明は、前記キャップに対して前記筆記具が挿入され当該キャップによる当該筆記具の位置決めが行われた後に、当該キャップを移動させることで、当該筆記具の前記接点が前記相手側接点に接触するようになる請求項１又は２に記載の筆記具支持システムである。
請求項４に記載の発明は、前記キャップ支持機構を介して前記キャップを支持する台座をさらに備え、前記台座には、凹部が形成され、前記筆記具が挿入された前記キャップが移動すると、前記凹部に当該キャップおよび当該筆記具が収容される請求項１乃至３の何れかに記載の筆記具支持システムである。
請求項５に記載の発明は、前記キャップ支持機構を介して前記キャップを支持する台座をさらに備え、前記筆記具が挿入された前記キャップが移動すると、当該キャップおよび当該筆記具が、前記台座に沿うようになる請求項１乃至４の何れかに記載の筆記具支持システムである。
請求項６に記載の発明は、前記キャップへの前記筆記具の挿入が行われる際、当該キャップは、水平方向に対して傾斜した状態で配置されることを特徴とする請求項１乃至５の何れかに記載の筆記具支持システムである。
請求項７に記載の発明は、前記筆記具が挿入された前記キャップが移動すると、当該筆記具の前記接点と前記相手側接点とが間隙を有して互いに対峙したうえで当該接点と当該相手側接点とがさらに接近し、当該接点と当該相手側接点との接触が行われる請求項１乃至６の何れかに記載の筆記具支持システムである。
請求項８に記載の発明は、電気的な接点を有する筆記具が挿入されるキャップであって、挿入された当該筆記具の周方向への回転を規制するキャップと、前記キャップが移動可能な状態で当該キャップを支持するキャップ支持機構と、前記キャップとは別の箇所に設けられ、前記筆記具が挿入された当該キャップが移動することにより移動方向下流側へ移動する当該筆記具の前記接点であって移動する当該筆記具のうちの当該移動方向下流側を向く面に位置する当該接点が接触する相手側接点と、を備え、前記相手側接点は、周方向への回転が規制された状態の前記筆記具の前記接点が当該相手側接点に接触する際、前記移動方向下流側を向く前記面の対向箇所に位置する筆記具支持装置である。
請求項９に記載の発明は、電気的な接点を有する筆記具が挿入されるキャップと、前記キャップが移動可能な状態で当該キャップを支持するキャップ支持機構と、前記キャップとは別の箇所に設けられ、前記筆記具が挿入された当該キャップが移動することにより当該筆記具の前記接点が接触する相手側接点と、を備え、前記筆記具が挿入された前記キャップが予め定められた箇所まで移動することで、当該筆記具の前記接点が前記相手側接点に接触し、前記キャップが前記予め定められた箇所以外の箇所に位置する状態では、前記相手側接点が収容部に収容されている筆記具支持装置である。
【発明の効果】
【０００６】
請求項１の発明によれば、筆記具が挿入されるキャップに接点が設けられている場合に比べ、筆記具に設けられた接点とこの接点に接触する相手方接点の損耗を低減できる。
請求項２、９の発明によれば、相手側接点が収容されない場合に比べ、相手側接点の長寿命化を図れる。
請求項３の発明によれば、キャップによる筆記具の位置決めが行われずに接点と相手側接点とが接触する場合に比べ、接点と相手側接点とが接触する際の両者の姿勢を安定化させることができる。
請求項４の発明によれば、台座に凹部が設けられていない場合に比べ、筆記具支持システムの小型化を図れる。
請求項５の発明によれば、キャップおよび筆記具が台座に沿わない場合に比べ、筆記具支持システムの小型化を図れる。
請求項６の発明によれば、キャップが水平方向に沿うように配置される場合に比べ、キャップへの筆記具の着脱を行いやすくなる。
請求項７の発明によれば、接点と相手側接点とが擦りながら両者が接触する場合に比べ、接点および相手側接点の損耗を低減できる。
請求項８の発明によれば、筆記具が挿入されるキャップに接点が設けられている場合に比べ、筆記具に設けられた接点とこの接点に接触する相手方接点の損耗を低減できる。
【図面の簡単な説明】
【０００７】
【図１】（Ａ）、（Ｂ）は、筆記具支持システムの全体構成を示した図である。
【図２】キャップが第１の位置にあるときの筆記具支持システムの一部断面図である。
【図３】図２の矢印ＩＩＩ方向から台座の裏面を眺めた場合の図である。
【図４】キャップが第２の位置にあるときの各部の状態を示した図である。
【図５】ペン本体部の内部構成を示した模式図である。
【発明を実施するための形態】
【０００８】
以下、添付図面を参照して、本発明の実施の形態について詳細に説明する。
図１（Ａ）、（Ｂ）は、本実施形態の筆記具支持システム１の全体構成を示した図である。
図１（Ａ）に示すように、本実施形態の筆記具支持システム１には、筆記具の一例である電子ペン６０と、この電子ペン６０を支持するペン支持装置（クレードル）１００が設けられている。
【０００９】
筆記具支持装置の一例としてのペン支持装置１００には、図１（Ａ）に示すように、電子ペン６０が挿入されるキャップ１１０が設けられている。また、電子ペン６０に設けられた接点７１（以下、「ペン側接点７１」と称する）に接触し、このペン側接点７１に電気的に接続する相手側接点１２０が設けられている。
さらに、ペン支持装置１００には、キャップ１１０を移動可能（回転可能）な状態で支持するキャップ支持機構１３０、このキャップ支持機構１３０を介してキャップ１１０を支持する台座１４０が設けられている。ここで、相手側接点１２０は、台座１４０に設けられている。
【００１０】
キャップ１１０は、上記のように、キャップ支持機構１３０により支持されている。
具体的には、キャップ支持機構１３０には、キャップ１１０を回転可能な状態で支持する回転軸１３１が設けられており、キャップ１１０は、この回転軸１３１により支持されている。
【００１１】
台座１４０は、直方体状に形成されている。また、台座１４０は、長尺状に形成され、一端部１４０Ａおよび他端部１４０Ｂを有する。さらに、台座１４０の上面には、図１（Ａ）に示すように、台座１４０の長手方向に沿って延びる溝状の凹部１４１Ｃが設けられている。
また、本実施形態では、台座１４０にコネクタ１４０Ｄが取り付けられている。このコネクタ１４０Ｄには、電源用のケーブルや信号用のケーブルが接続される。
【００１２】
一方、図１（Ａ）に示すように、電子ペン６０には、筒状のペン本体部７２が設けられている。
ペン本体部７２は、一端部７２Ａおよび他端部７２Ｂを有し、本実施形態では、ペン本体部７２の一端部７２Ａ側が、キャップ１１０に挿入されている。さらに、ペン本体部７２の他端部７２Ｂには、円形の端面７２Ｃが設けられている。
この円形の端面７２Ｃには、端面７２Ｃの外周縁に沿う突出部７２Ｄが設けられている。さらに、本実施形態では、ペン本体部７２の外周面に、相手側接点１２０に電気的に接続するペン側接点７１が設けられている。
【００１３】
図１（Ｂ）は、キャップ１１０を寝かした状態の筆記具支持システム１を示した図である。
図１（Ｂ）に示すように、キャップ１１０を寝かすと、キャップ１１０および電子ペン６０は、台座１４０に沿うようになる。ここで、図１（Ｂ）に示す状態から電子ペン６０を図中上方に持ち上げると、キャップ１１０の回転が行われ、キャップ１１０および電子ペン６０は、図１（Ａ）に示す状態に復帰する。
【００１４】
ここで、図１（Ｂ）では、第１の位置Ｐ１にキャップ１１０が位置する状態を示している。キャップ１１０が第１の位置Ｐ１に位置する状態では、電子ペン６０のペン側接点７１（図１（Ａ）参照）が相手側接点１２０（図１（Ａ）参照）に接触する。
図１（Ａ）では、台座１４０から離れた位置である第２の位置Ｐ２に、キャップ１１０が位置する状態を示している。キャップ１１０が第２の位置Ｐ２に位置する状態では、電子ペン６０のペン側接点７１が相手側接点１２０から離間する。
【００１５】
本実施形態では、キャップ支持機構１３０によって、キャップ１１０が移動可能な状態で支持されており、ペン側接点７１が相手側接点１２０に接触する第１の位置Ｐ１から、ペン側接点７１が相手側接点１２０から離間する第２の位置Ｐ２へのキャップ１１０の移動が可能になっている。
また、ペン側接点７１が相手側接点１２０から離間する第２の位置Ｐ２から、ペン側接点７１が相手側接点１２０に接触する第１の位置Ｐ１へのキャップ１１０の移動が可能になっている。
【００１６】
ここで、図１（Ａ）に示すように、キャップ１１０が第２の位置Ｐ２に位置する状態では、ペン側接点７１が、相手側接点１２０から離れた箇所に位置する。
このため、キャップ１１０が第２の位置Ｐ２に位置する状態では、ペン側接点７１と相手側接点１２０との接触を伴わずに、キャップ１１０に対する電子ペン６０の着脱を行える。これにより、本実施形態では、ペン側接点７１と相手側接点１２０との損耗が低減する。
【００１７】
ここで、相手側接点１２０は、キャップ１１０に設けることもでき、この場合、キャップ１１０への電子ペン６０の着脱の度に、ペン側接点７１と相手側接点１２０とが擦れ、接点の損耗が促進される。
これに対し、本実施形態の構成では、キャップ１１０への電子ペン６０の着脱時、接点同士の擦れが生じない。これにより、ペン側接点７１と相手側接点１２０との損耗が低減する。
【００１８】
さらに、本実施形態では、図１（Ｂ）に示すように、キャップ１１０が第１の位置Ｐ１にあるとき、電子ペン６０と台座１４０の他端部１４０Ｂとの干渉が起こり、電子ペン６０の取り外しができないようになっている。また、キャップ１１０が第１の位置Ｐ１にあるとき、電子ペン６０と台座１４０の他端部１４０Ｂとの干渉が起こり、キャップ１１０への電子ペン６０の挿入が行えないようになっている。
【００１９】
即ち、本実施形態では、キャップ１１０が第１の位置Ｐ１にあるとき、キャップ１１０への電子ペン６０の着脱を行えないようになっている。これにより、ペン側接点７１と相手側接点１２０との損耗がさらに生じにくくなる。
ここで、キャップ１１０が第１の位置Ｐ１にあるときに、キャップ１１０への電子ペン６０の着脱が行える構成であると、接点同士の擦れが生じ、ペン側接点７１と相手側接点１２０との損耗が促進される。本実施形態の構成では、この擦れが生じず、ペン側接点７１と相手側接点１２０との損耗が低減する。
【００２０】
ここで、本実施形態では、図１（Ａ）に示すように、また、上記にて説明したように、台座１４０の上面に、台座１４０の長手方向に沿って延びる凹部１４１Ｃが設けられている。
本実施形態では、キャップ１１０が第２の位置Ｐ２から第１の位置Ｐ１へ移動すると（キャップ１１０が台座１４０側に移動すると）、図１（Ｂ）に示すように、凹部１４１Ｃに、キャップ１１０および電子ペン６０が収容される。これにより、本実施形態では、凹部１４１Ｃが設けられていない構成に比べ、筆記具支持システム１の小型化を図れる。
【００２１】
さらに、本実施形態では、キャップ１１０が第２の位置Ｐ２から第１の位置Ｐ１へ移動すると（キャップ１１０が台座１４０側に移動すると）、図１（Ｂ）に示すように、キャップ１１０および電子ペン６０が、台座１４０に沿うようになる。この場合も、上記と同様、筆記具支持システム１の小型化を図れる。
付言すると、キャップ１１０および電子ペン６０が台座１４０に沿わず、キャップ１１０および電子ペン６０が台座１４０に対して傾斜する場合に比べ、筆記具支持システム１の小型化を図れる。
【００２２】
さらに、本実施形態では、ペン側接点７１と相手側接点１２０とが接触する際の両者の姿勢が安定化する。
具体的には、本実施形態では、ペン側接点７１と相手側接点１２０との接触が行われる際、まず、図１（Ａ）に示すように、キャップ１１０に対して電子ペン６０が挿入され、キャップ１１０による電子ペン６０の位置決めが行われる。
そして、本実施形態では、この位置決めが行われた後に、図１（Ｂ）に示すように、キャップ１１０および電子ペン６０が移動し、ペン側接点７１と相手側接点１２０とが接触する。
【００２３】
これにより、本実施形態では、ペン側接点７１と相手側接点１２０とが接触する際の両者の姿勢が安定化する。そして、この場合、ペン側接点７１、相手側接点１２０の各々に設けられた各端子が、予め定められた順序で接触するようになる。
【００２４】
ここで、ペン側接点７１、相手側接点１２０の各々には、図１（Ａ）で示すように、複数の端子２０が設けられている。ここで、ペン側接点７１に設けられた複数の端子２０の各々と、相手側接点１２０に設けられた複数の端子２０の各々と接触させる際、例えば、電極用の端子を接触させた後に通信用の端子を接触させるなど、各端子２０を予め定められた順序で接触させることが好ましい場合がある。
【００２５】
本実施形態のように、ペン側接点７１と相手側接点１２０とが接触する際の両者の姿勢が安定化する場合、各端子２０を予め定められた順序で接触させやすくなる。
これに対し、電子ペン６０の位置決めが行われない状態で、ペン側接点７１と相手側接点１２０とが接触する場合は、両者の姿勢が安定化せず、各端子２０の接触順序が乱れやすくなる。
【００２６】
図２は、キャップ１１０が第１の位置Ｐ１にあるときの筆記具支持システム１の一部断面図である。
図２に示すように、キャップ支持機構１３０には、キャップ１１０を回転可能な状態で下方から支持する回転軸１３１が設けられている。さらに、キャップ支持機構１３０には、キャップ１１０を下方から支持する支持部材１３２が設けられている。
【００２７】
支持部材１３２は、図中左右方向（台座１４０の長手方向）に沿って、スライド移動可能に設けられている。支持部材１３２には、板状の基材１３２Ａ、この基材１３２Ａから上方に向かって突出した突出部１３２Ｂが設けられている。
突出部１３２Ｂには、２つの側面Ｓ１，Ｓ２と、この２つの側面Ｓ１，Ｓ２を結ぶ上面ＣＭが設けられている。また、一方の側面Ｓ２（台座１４０の他端部１４０Ｂ側に位置する側面Ｓ２）と上面ＣＭとが接続する角部には面取りが施され、この角部には、傾斜面ＫＭが設けられている。
【００２８】
一方、電子ペン６０には、筒状のペン本体部７２、ペン本体部７２の一端部７２Ａに位置するペン先７２Ｐ（紙などの記録材に接触し記録材へのインクの吐出を行うインク吐出部）が設けられている。ペン先７２Ｐは、ペン本体部７２の軸心に対して偏心した状態で設けられている。
キャップ１１０には、円筒状のキャップ本体１１０Ａと、ペン先７２Ｐを収容するペン先収容部１１０Ｂが設けられている。ペン先収容部１１０Ｂは、キャップ本体１１０Ａの軸心に対して偏心した状態で設けられている。
【００２９】
ここで、本実施形態では、このように、ペン先７２Ｐおよびペン先収容部１１０Ｂが偏心した状態で設けられている。このため、本実施形態では、電子ペン６０の周方向においても電子ペン６０の位置決めが行われる。
具体的には、本実施形態では、キャップ１１０に電子ペン６０が挿入されると、電子ペン６０の周方向における、電子ペン６０の位置決めが行われる。これにより、ペン側接点７１が下方を向き、ペン側接点７１と相手側接点１２０とが対峙する。
【００３０】
ここで、相手側接点１２０は、曲げ加工が行われた板金１５０により形成され、この板金１５０のうちの図中上方に向かって突出した突出部１５１が、相手側接点１２０となっている。この相手側接点１２０（突出部１５１）は、台座１４０の凹部１４１Ｃの底面１４１Ｅに形成された貫通孔１４１Ｇを通じて露出し、露出したこの相手側接点１２０に対して、ペン側接点７１が接触する。
なお、板金１５０は、支持部材１３２に固定され、支持部材１３２がスライド移動すると、板金１５０もスライド移動する。
【００３１】
また、本実施形態では、台座１４０の他端部１４０Ｂに、電子ペン６０の移動を規制する規制用部材１４１Ｈが設けられている。本実施形態では、キャップ１１０が第１の位置Ｐ１に位置する状態となると、ペン本体部７２の端面７２Ｃ（図１（Ａ）参照）に設けられた突出部７２Ｄの内側に、規制用部材１４１Ｈが入り込む。
これにより、突出部７２Ｄが規制用部材１４１Ｈに引っ掛かり、台座１４０から電子ペン６０が外れにくくなる。
【００３２】
図３は、図２の矢印ＩＩＩ方向から台座１４０の裏面を眺めた場合の図である。
本実施形態では、台座１４０の裏面に、コイルスプリング１４０Ｋが設けられている。このコイルスプリング１４０Ｋは、支持部材１３２に取り付けられ、図中矢印３Ａに示す方向に向けて、支持部材１３２を付勢する。
これにより、本実施形態では、図２の矢印２Ａに示す方向へ、支持部材１３２および板金１５０が付勢される。付言すると、本実施形態では、台座１４０の他端部１４０Ｂ側に向けて、支持部材１３２および板金１５０が付勢される。
【００３３】
図４は、キャップ１１０が第２の位置Ｐ２にあるときの各部の状態を示した図である。
電子ペン６０がユーザにより持ち上げられると、第１の位置Ｐ１にあったキャップ１１０が、図４に示すように、第２の位置Ｐ２に位置する。
キャップ１１０が第２の位置Ｐ２に位置するようになると、コイルスプリング１４０Ｋ（図４では不図示）により付勢されている、支持部材１３２および板金１５０が、図中右方向（矢印４Ａ示す方向）へ移動する。
【００３４】
そして、本実施形態では、支持部材１３２が図中右方向へ移動すると、支持部材１３２の突出部１３２Ｂに設けられた傾斜面ＫＭが、キャップ１１０に突き当たる。
これにより、キャップ１１０が斜め上方へ押圧され、キャップ１１０が第１の位置Ｐ１に戻ることが防止される。さらに、この状態では、キャップ１１０の端面１１０Ｔが、台座１４０の一端部１４０Ａに突き当たる。これにより、予め定められた角度を超えたキャップ１１０の回転が防止される。
【００３５】
ここで、本実施形態では、図４に示すように、キャップ１１０が第２の位置Ｐ２に位置するようになると、相手側接点１２０が収容部１４０Ｎに収容される。
ここで、本実施形態では、キャップ１１０が第２の位置Ｐ２に位置する状態となると、支持部材１３２、板金１５０が図中右方向へスライド移動し、これにより、相手側接点１２０も右方向へ移動する。そして、本実施形態では、この移動により、相手側接点１２０が、台座１４０に設けられた凹部１４１Ｃの底面１４１Ｅの下に入り込む。
【００３６】
付言すると、本実施形態では、凹部１４１Ｃの底面１４１Ｅの下方には、空間が形成され、この空間が収容部１４０Ｎとなっている。本実施形態では、キャップが第１の位置Ｐ１以外の箇所に位置する状態では、この収容部１４０Ｎに、相手側接点１２０が収容される。これにより、相手側接点１２０が常に露出している場合に比べ、相手側接点１２０の長寿命化を図れる。
なお、本実施形態では、キャップ１１０を第１の位置Ｐ１に戻すと、板金１５０は、図４における左方向へ移動し、貫通孔１４１Ｇから相手側接点１２０が再び露出する。
【００３７】
ここで、本実施形態では、図４に示すように、キャップ１１０が第２の位置Ｐ２に位置する状態では、キャップ１１０は、水平方向に対して傾斜した状態で配置される。
これにより、キャップ１１０に対する電子ペン６０の着脱を行いやすくなる。具体的には、キャップ１１０が水平方向に沿った状態で配置されている場合に比べ、キャップ１１０に対する電子ペン６０の着脱を行いやすくなる。
ここで、本実施形態のペン支持装置１００は、机上などに設置されることが想定され、キャップ１１０が水平方向に対して傾斜していると、キャップ１１０への電子ペン６０の着脱を行いやすくなる。
【００３８】
ここで、図４に示す状態から、キャップ１１０が第１の位置Ｐ１へ移動する場合（キャップ１１０が台座１４０に向かって移動する場合）、図中上方から下方に向かって電子ペン６０が押圧される。
そして、この場合、ペン側接点７１が下方に向かって移動し、まず、ペン側接点７１と相手側接点１２０とが、間隙を有した状態で互いに対峙する。その後、本実施形態では、ペン側接点７１と相手側接点１２０とがさらに接近し、ペン側接点７１と相手側接点１２０とが接触する。
【００３９】
本実施形態の構成では、ペン側接点７１と相手側接点１２０とが擦りながら両者が接触することが避けられ、ペン側接点７１および相手側接点１２０の損耗が低減される。本実施形態では、ペン側接点７１と相手側接点１２０とが接触する際、電子ペン６０の軸方向への、ペン側接点７１、相手側接点１２０の移動が行われない。
これにより、ペン側接点７１と相手側接点１２０とが擦りながら、両者が接触することが避けられ、ペン側接点７１および相手側接点１２０の損耗が低減する。
【００４０】
なお、上記では、キャップ１１０が回転する構成を一例として説明したが、例えば、キャップ１１０の姿勢を水平状態に保ったまま、キャップ１１０を上下動させる構成としてもよい。
また、上記では、キャップ１１０の回転角度が９０°未満であったが、キャップ１１０の回転角度は９０°としてもよいし、９０°よりも大きくしてもよい。
また、上記では、台座１４０が机上などに置かれる場合を想定して説明したが、垂直の壁に台座１４０を固定する態様も考えられる。
【００４１】
ここで、上記では説明を省略したが、本実施形態の電子ペン６０は、筆記情報を取得する電子ペン６０である。
本実施形態では、文書画像と符号画像とが印刷された紙などの記録材に対し、電子ペン６０を用い筆記を行うと、電子ペン６０は符号画像に含まれる位置情報に基づいて手書き情報（筆跡情報）を生成する。またそれと同時に、電子ペン６０は、符号画像に含まれる識別情報を認識する。
【００４２】
そして、本実施形態では、認識された識別情報と筆跡情報とは、サーバ装置（不図示）に送られる。
識別情報と筆跡情報とを受け取ったサーバは、識別情報に基づいて、媒体に印刷された電子文書を特定し、この特定された電子文書と筆跡情報とを関連付けて記憶する。
【００４３】
図５は、ペン本体部７２の内部構成を示した模式図である。
ペン本体部７２の内部には、制御回路６１が設けられている。制御回路６１には、筆圧検知スイッチ６２が接続されている。
筆圧検知スイッチ６２は、電子ペン６０による筆記動作を、ペン先７２Ｐに加わる圧力（筆圧）によって検知し、電子ペン６０を動作状態に設定する。
【００４４】
さらに、ペン本体部７２の内部には、記録材上に赤外光を照射する赤外ＬＥＤ６３、反射光を検知することによって符号画像を読み取る赤外ＣＭＯＳ(Complementary Metal Oxide Semiconductor)６４が設けられている。また、識別情報および位置情報を記憶するための情報メモリ６５、外部装置と通信するための通信回路６６が設けられている。さらに、ペンを駆動するためのバッテリ６７、ペンの識別情報（ペンＩＤ）を記憶するペンＩＤメモリ６８が設けられている。
【００４５】
制御回路６１には、読み取った符号画像を処理する画像処理部６１ａと、画像処理部６１ａでの処理結果から識別情報および位置情報を抽出するデータ処理部６１ｂが設けられている。さらに、ペン本体部７２には、上記のとおり、外周面に、ペン側接点７１が設けられている。
【００４６】
通信回路６６およびバッテリ６７は、不図示の接続線を介して、ペン側接点７１に接続されている。本実施形態では、ペン側接点７１を通じて、ペン本体部７２に電源供給がなされ、また、ペン側接点７１を通じて、ペン本体部７２と外部機器との通信が行われる。
なお、図５にて示した、ペン本体部７２の内部構成は一例であり、ペン本体部７２の内部構成は他の構成としてもよい。
【符号の説明】
【００４７】
１…筆記具支持システム、６０…電子ペン、７１…ペン側接点、１００…ペン支持装置、１１０…キャップ、１３０…キャップ支持機構、１４０…台座、１４１Ｃ…凹部、１４０Ｎ…収容部
【図１】
0006617518.tif 000002
【図２】
0006617518.tif 000003
【図３】
0006617518.tif 000004
【図４】
0006617518.tif 000005
【図５】
0006617518.tif 000006